(57)【要約】【課題】移動端末の詳細な位置での通信履歴に基づいて効率よく通信を行うことが可能な移動通信システムを得ること。【解決手段】移動端末と、複数の移動端末と接続する通信中継装置と、複数の移動端末から送信される複数の移動端末の通信履歴情報を受信して記憶する情報記憶装置とを有する移動通信システムにおいて、移動端末１Ａは、１つの通信可能領域を複数の領域に分割したエリアのいずれに位置するかを位置情報として検出する位置検出部２０と、位置情報、通信条件を含む通信履歴情報を生成して情報記憶装置に送信する通信条件決定部１０、送信制御部４０と、を備え、移動端末１Ａは、情報記憶装置が記憶する複数の通信履歴情報の中から移動端末１Ａの位置に応じた通信条件を選択し、選択した通信条件に基づいて通信中継装置と通信を行う。【選択図】        図２
2006186820.tif 000002
【特許請求の範囲】
【請求項１】
移動端末と、所定の通信可能領域で複数の移動端末と接続する通信中継装置と、前記移動端末から送信される前記移動端末の通信履歴に関する通信履歴情報を受信して記憶する情報記憶装置とを有する移動通信システムにおいて、
前記移動端末は、
１つの前記通信中継装置が接続可能な前記通信可能領域内であって前記通信可能領域を複数の領域に分割したエリアのいずれのエリアに自らの装置が位置するかを位置情報として検出する位置検出手段と、
接続中の前記通信中継装置を識別する中継装置識別手段と、
前記位置情報、前記通信中継装置に関する情報および通信条件を含む前記通信履歴情報を生成して前記情報記憶装置に送信する履歴情報提供手段と、
を備え、
前記情報記憶装置は、前記複数の移動端末から送信される複数の前記通信履歴情報を記憶するとともに、記憶する前記通信履歴情報を前記移動端末に送信し、
前記移動端末は、前記情報記憶装置からの通信履歴情報の中から前記移動端末の位置および前記移動端末が接続する通信中継装置に応じた通信条件を選択し、選択した通信条件に基づいて前記通信中継装置と通信を行うことを特徴とする移動通信システム。
【請求項２】
前記移動端末の履歴情報提供手段は、前記情報記憶装置に対して定期的に前記通信履歴情報を送信することを特徴とする請求項１に記載の移動通信システム。
【請求項３】
前記情報記憶装置は、前記移動端末に対して前記通信履歴情報を送信するよう定期的に要求し、前記移動端末の履歴情報提供手段は前記情報記憶装置からの要求に応じて前記情報記憶装置に前記通信履歴情報を送信することを特徴とする請求項１または２に記載の移動通信システム。
【請求項４】
前記移動端末の履歴情報提供手段は、前記１つの通信可能領域の中から外へ移動する際に、前記情報記憶装置に対して前記通信履歴情報を送信することを特徴とする請求項１〜３のいずれか１つに記載の移動通信システム。
【請求項５】
前記情報記憶装置は、前記移動端末に対して定期的に前記通信条件を送信することを特徴とする請求項１〜４のいずれか１つに記載の移動通信システム。
【請求項６】
前記移動端末は、前記情報記憶装置に対して前記通信条件を送信するよう定期的に要求し、前記情報記憶装置は前記移動端末からの要求に応じて前記移動端末に前記通信条件を送信することを特徴とする請求項１〜５のいずれか１つに記載の移動通信システム。
【請求項７】
前記移動端末は、前記１つの通信可能領域の外から中へ移動する際に、前記情報記憶装置に対して前記通信条件を送信するよう要求し、前記情報記憶装置は前記移動端末からの要求に応じて前記移動端末に前記通信条件を送信することを特徴とする請求項１〜６のいずれか１つに記載の移動通信システム。
【請求項８】
所定の通信可能領域で通信端末間を接続する通信中継装置を介して通信を行う移動端末において、
１つの前記通信中継装置が接続可能な前記通信可能領域内であって前記通信可能領域を複数の領域に分割したエリアのいずれのエリアに自らの装置が位置するかを位置情報として検出する位置検出手段と、
接続中の前記通信中継装置を識別する中継装置識別手段と、
前記位置情報、前記通信中継装置に関する情報および通信条件を含む通信履歴に関する通信履歴情報を記録する履歴情報記録手段と、
前記履歴情報記録手段が記録する前記通信履歴情報に基づいて、前記分割されたエリアおよび接続中の通信中継装置に応じた所定の通信条件を選択し、選択した通信条件で前記通信中継装置と通信を行う通信選択手段と、
を備えることを特徴とする移動端末。
【発明の詳細な説明】
【技術分野】
【０００１】
本発明は、細分化された通信エリア内の通信履歴に基づいて通信条件を選択して通信を行う移動通信システムおよび移動端末に関するものである。
【背景技術】
【０００２】
近年、無線通信を利用した移動体通信の技術開発が急速に進展している。このような移動体通信においては、無線通信ネットワークのキャパシティーや品質、移動端末の能力等に応じて適切な通信条件で通信を行うことが望まれる。
【０００３】
従来の移動体通信における移動端末は、例えば通信の対向局が直前に受信した通信状況を対向局から伝えてもらうことによって最適な通信条件を決定していた。また、移動端末自身における直前の受信状況を利用することによって最適な通信条件を決定していた。
【０００４】
しかしながら、通信状況は移動端末の位置や無線通信の品質等に応じて変化するため、移動端末の位置や無線通信の品質等に応じて最適な通信条件を決定し、この通信条件に基づいて無線通信を行う必要がある。
【０００５】
特許文献１に記載の携帯端末は、位置検出手段と、第１の無線通信システムを用いて接続する無線基地局の識別情報とこの接続を行うときの位置情報とを関連付けて記憶する無線サービス位置記憶手段と、無線サービス位置記憶手段に基づいてユーザに対しサービス提供が続可能な無線基地局情報を提供する無線サービス位置情報提供手段とを有している。そして、携帯端末が無線ＬＡＮホットスポットのサービスを受けた位置、品質を記憶し、記憶情報に基づいて無線サービスを受けることが可能なエリアを判断している。
【０００６】
【特許文献１】特開２００４−１８０２０４号公報
【発明の開示】
【発明が解決しようとする課題】
【０００７】
上記従来の技術では、無線サービスを受けることが可能なエリアを判断することはできるが、通信のカバー領域内での移動端末の詳細な位置に応じた通信条件で通信を行うことはできないといった問題があった。このため、移動端末が効率よく通信を行うことができないといった問題があった。
【０００８】
本発明は、上記に鑑みてなされたものであって、移動端末の詳細な位置での通信履歴に基づいて効率よく通信を行うことが可能な移動通信システムおよび移動端末を得ることを目的とする。
【課題を解決するための手段】
【０００９】
上述した課題を解決し、目的を達成するために、本発明は、移動端末と、所定の通信可能領域で複数の移動端末と接続する通信中継装置と、前記移動端末から送信される前記移動端末の通信履歴に関する通信履歴情報を受信して記憶する情報記憶装置とを有する移動通信システムにおいて、前記移動端末は、１つの前記通信中継装置が接続可能な前記通信可能領域内であって前記通信可能領域を複数の領域に分割したエリアのいずれのエリアに自らの装置が位置するかを位置情報として検出する位置検出手段と、接続中の前記通信中継装置を識別する中継装置識別手段と、前記位置情報、前記通信中継装置に関する情報および通信条件を含む前記通信履歴情報を生成して前記情報記憶装置に送信する履歴情報提供手段と、を備え、前記情報記憶装置は、前記複数の移動端末から送信される複数の前記通信履歴情報を記憶するとともに、記憶する前記通信履歴情報を前記移動端末に送信し、前記移動端末は、前記情報記憶装置からの通信履歴情報の中から前記移動端末の位置および前記移動端末が接続する通信中継装置に応じた通信条件を選択し、選択した通信条件に基づいて前記通信中継装置と通信を行うことを特徴とする。
【００１０】
この発明によれば、通信可能領域を分割したエリアでの位置情報、通信条件を含む通信履歴情報を情報記憶装置が複数の移動端末から取得して記憶するので、移動端末は情報記憶装置から複数の通信履歴情報を取得することが可能となる。
【発明の効果】
【００１１】
この発明によれば、移動端末は、通信可能領域を分割したエリアでの位置情報、通信条件を含む複数の通信履歴情報を取得することができるため、移動端末は細かなエリアでの位置情報に基づいた適切な通信条件を決定することが可能となり、移動通信システム内で効率のよい移動通信を行うことが可能になるという効果を奏する。
【発明を実施するための最良の形態】
【００１２】
以下に、本発明にかかる移動通信システムおよび移動端末の実施の形態を図面に基づいて詳細に説明する。なお、この実施の形態によりこの発明が限定されるものではない。
【００１３】
実施の形態１．
図１は、本発明に係る移動通信システムの実施の形態１の構成の一例を示す図である。移動通信システムは、自動車等に搭載された移動端末１Ａ、アクセスポイント（通信中継装置）２Ａ、アクセスポイント２Ａと他の通信サービスとを接続するアクセスネットワーク３からなる。移動端末１Ａは、アクセスポイント２Ａと双方向の無線通信が可能なカバー領域（通信可能領域）４Ａ内で無線通信サービスの提供を受ける。
【００１４】
図２は、本発明に係る移動端末の実施の形態１の構成を示すブロック図である。移動端末（移動体通信装置）１Ａは、通信条件決定部１０、位置検出部２０、通信条件記録部１５Ａ、送信制御部４０、送信部５０、アンテナ５１、受信部５２、送信データフレーム生成部５３、送信データ用アプリケーション格納部５４、データフレーム解析部５５、受信データ用アプリケーション格納部５６からなる。
【００１５】
通信条件決定部１０は、移動端末１Ａが通信中のアクセスポイント２Ａを識別する情報を有している。通信条件決定部１０は、位置検出部２０から送信される移動端末１Ａの位置情報および通信条件記録部１５Ａから送信される通信条件の統計に関する情報（通信履歴情報）（後述する通信条件統計情報テーブル３０）に基づいて、次に送信するデータフレームに適用する通信条件を決定する。ここでの通信条件決定部１０が特許請求の範囲に記載の中継装置識別手段に対応する機能を含んでいる。
【００１６】
位置検出部（位置検出手段）２０は、移動端末１Ａの位置に関する情報を検出して記憶する。位置検出部２０は、例えばＧＰＳ（Global Positioning System）機能を有しており、このＧＰＳ機能によって移動端末１Ａの位置を検出する。このとき、移動端末１Ａの位置はカバー領域４Ａを細分化した領域内の細分化エリアを単位として検出される。
【００１７】
通信条件記録部（履歴情報記憶手段）１５Ａは、通信条件統計情報の一覧表である通信条件統計情報テーブル３０を記憶している。通信条件記録部１５Ａは、例えば移動端末１Ａがデータフレームを送受信する度に、通信条件統計情報テーブル３０を更新する。
【００１８】
送信制御部４０は、通信条件決定部１０が定めた通信条件に従って送信部５０にデータフレームの送信を指示する（制御指示情報を送信する）。送信制御部４０は、図示しないタイマを有している。送信制御部４０は、タイマによる時間設定に基づいてアクセスポイント２Ａから送信されるデータフレームの受信確認応答（移動端末１Ａからのデータフレームを受信したか否かを示す応答情報（送達確認））を所定時間待つとともに、アクセスポイント２Ａに対してデータフレームを送信できたか否か（送信成否）を判定する。送信制御部４０は、送信成否の判定結果およびこのときの通信条件を通信条件記録部１５Ａに送信する。
【００１９】
送信部５０は、送信制御部４０からの制御指示情報（通信条件に関する指示）に従ってデータフレームの無線変調を行うとともに、アンテナ５１を介してアクセスポイント２Ａにデータフレームの送信を行う。アンテナ５１は、アクセスポイント２Ａとデータフレームの送受信を行う。受信部５２は、アンテナ５１で受信したデータフレームを無線復調し、受信したデータフレームが受信確認応答のデータフレームであるか否かを判別する。
【００２０】
送信データフレーム生成部５３は、送信データ用アプリケーション格納部５４から送信される送信データにフレームヘッダを付与してデータフレームを生成する。送信データ用アプリケーション格納部５４は、移動端末１Ａがアクセスポイント２Ａ宛てに送信する送信データを生成するための種々のアプリケーションを１〜複数有している。
【００２１】
データフレーム解析部５５は、アクセスポイント２Ａから受信したデータフレームからフレームヘッダを取り除き、受信データ用アプリケーション格納部５６に送信する。受信データ用アプリケーション格納部５６は、アクセスポイント２Ａから受信した受信データを利用するための種々のアプリケーションを１〜複数有している。受信データ用アプリケーション格納部５６は、データフレーム解析部５５から送信されるデータフレームを所定のアプリケーションによって利用する。
【００２２】
なお、本実施の形態１においては、通信条件記録部１５Ａが特許請求の範囲に記載の履歴情報記録手段に対応する。また、通信条件決定部１０、送信制御部４０が特許請求の範囲に記載の通信選択手段に対応する。
【００２３】
つぎに、移動端末１Ａの通信動作の処理手順を説明する。図３は、実施の形態１に係る移動端末の通信動作の処理手順を示すフローチャートである。位置検出部２０は、ＧＰＳ機能等によって移動端末１Ａの位置情報を取得し記憶している。ここでの位置情報は、カバー領域４Ａを細分化した領域内の細分化エリアを単位とした情報である。送信データ用アプリケーション格納部５４が格納する送信データ用アプリケーションが送信データを生成し（送信データの発生）、送信データ用アプリケーション格納部５４が送信データフレーム生成部５３に対して送信データの送信依頼（送信データの送信）を行う（１）。
【００２４】
送信データフレーム生成部５３は、送信データ用アプリケーションが生成した送信データをデータフレームに加工する（データフレームの生成）。送信データフレーム生成部５３は、通信条件決定部１０にデータフレームの送信依頼（データフレームの送信）を行う（２）。
【００２５】
通信条件決定部１０は、移動端末１Ａの位置情報を取得するため、現在通信中のアクセスポイント２Ａを識別する情報（後述するＡＰ（Access Point）識別子３１）を位置検出部２０に与える（位置情報読出（検出）要求）（３）。位置検出部２０は、通信条件決定部１０から位置情報検出要求を受信すると通信条件決定部１０に、移動端末１Ａの位置情報（後述する端末位置情報３２）を含む位置情報読出応答を送信する（４）。通信条件決定部１０は位置情報読出応答から移動端末１Ａの位置情報を読み出す。
【００２６】
つぎに、通信条件決定部１０は通信条件記録部１５Ａに対し、通信条件統計情報（通信条件統計情報テーブル３０）を検索するよう要求する（通信条件統計読出要求）（５）。ここで、通信条件統計情報テーブル３０の構成について説明する。図４は、通信条件統計情報テーブルの構成の一例を示す図である。通信条件統計情報テーブル３０は、ＡＰ識別子３１、端末位置情報３２、通信条件３３、統計情報３４からなる。
【００２７】
ＡＰ識別子３１は、移動端末１Ａが接続するアクセスポイントを識別する識別子を示す。ここでは、移動端末１Ａがアクセスポイント２Ａと接続さているためＡＰ識別子３１は「２Ａ」を示している。
【００２８】
通信条件３３は、移動端末１Ａが通信を行った際の通信条件を示している。通信条件３３としては、例えば通信時の送信レート（伝送レート）、通信時の送信電力、通信時の送信レートおよび送信電力の組み合わせ等がある。ここでは、通信条件３３が通信時の送信レート（Ｍｂｐｓ（Mega Bit Per Second））である場合を示している。
【００２９】
統計情報３４は、移動端末１Ａが通信を行った際のデータの送信成功確率等の情報を示す。統計情報３４は、例えば（データの送信成功数）を（データ送信を試みた総数）で除した値によって示される。なお、統計情報３４は他の統計手段によって算出した値であってもよい。
【００３０】
端末位置情報３２は、移動端末１Ａが通信を行った際の、移動端末１Ａのカバー領域４Ａ内の位置に関する情報を示す。図５−１および図５−２は、カバー領域の構成を示す図である。図５−１はメッシュ状に細分化したカバー領域の構成を示す図であり、図５−２は同心円状に細分化したカバー領域の構成を示す図である。
【００３１】
例えば、カバー領域４Ａは図５−１に示すように格子状等のメッシュ状に分割（細分化）され、分割された各エリアが所定の識別子（「１−３」〜「８−６」）等に対応付けられている。例えば、移動端末１Ａがカバー領域４Ａにおいて「３−４」に位置している時に通信をしたときは、端末位置情報３２において「３−４」と示される。
【００３２】
また、カバー領域４Ａを図５−２に示すようにアクセスポイント２Ａを中心とした同心円状に分割し、分割された各エリアを所定の識別子（「１−１」〜「３−８」）によって対応付けてもよい。
【００３３】
通信条件記録部１５Ａは、通信条件決定部１０から送信されるアクセスポイントを識別するためのＡＰ識別子３１と端末位置情報３２をキーとして通信条件統計情報テーブル３０を検索する。通信条件記録部１５Ａは、検索した通信条件の統計情報３４を通信条件統計読出応答として通信条件決定部１０に送信する（６）。通信条件決定部１０は、通信条件の統計情報３４に基づいて通信条件の決定を行い、送信制御部４０にデータフレームを送信するよう要求する（データフレーム送信依頼）（７）。
【００３４】
送信制御部４０は、タイマ設定をしたうえで送信部５０にデータフレーム送信依頼を行い（８）、アクセスポイント２Ａからデータフレームの送達確認を待つ。送信部５０は、送信制御部４０からの送信依頼（制御指示情報）に従ってデータフレームの無線変調を行うとともに、アンテナ５１を介してアクセスポイント２Ａにデータフレームの送信を行う（９）。
【００３５】
アンテナ５１は、アクセスポイント２Ａにデータフレームを送信し、アクセスポイント２Ａから所定のデータフレームを受信する（１０）。受信部５２は、アンテナ５１で受信したデータフレームを無線復調し、受信したデータフレームが受信確認応答のデータフレームであるか否かを判別する。受信部５２は、データフレームを受信すると、送信制御部４０にデータフレームの送達確認を送信する（１１）。
【００３６】
送信制御部４０は、タイマによる時間設定に基づいてアクセスポイント２Ａから送信されるデータフレームの受信確認応答を所定時間待つとともに、アクセスポイント２Ａに対してデータフレームを送信できたか否か（送信成否）を判定する。送信制御部４０は、送信成否の判定結果およびこのときの通信条件を通信条件記録部１５Ａに送信する。すなわち、送信制御部４０はデータフレームの送達が確認できた場合はタイマの解除を行い、通信に成功した実績情報を追加するよう通信条件記録部１５Ａに依頼する（通信条件実績追加依頼）（１２）。
【００３７】
通信条件記録部１５Ａは、送信制御部４０からの送信成否の判定結果、通信条件に基づいて記憶している通信条件の統計情報３４を更新する（通信条件統計更新）。このとき、通信条件記録部１５Ａは、移動端末１Ａが接続していたアクセスポイント２Ａ（ＡＰ識別子３１）、移動端末１Ａのカバー領域４Ａ内の位置（端末位置情報３２）、通信条件３３に対応する統計情報３４を更新する。例えば、移動端末１Ａがアクセスポイント２Ａと接続し、移動端末１Ａのカバー領域４Ａ内の位置が「３−４」、通信条件３３が５４Ｍｂｐｓであった場合、通信条件記録部１５Ａは統計情報３４を「８／１０」から「９／１１」に更新する。
【００３８】
この後、移動端末１Ａの送信制御部４０は、通信条件記録部１５Ａに記憶する通信条件統計情報に基づいて、アクセスポイント２Ａと通信を行う。このとき、データフレーム解析部５５は、アクセスポイント２Ａから受信したデータフレームからフレームヘッダを取り除き、受信データ用アプリケーション格納部５６に送信する。受信データ用アプリケーション格納部５６は、データフレーム解析部５５から送信されるデータフレームを所定のアプリケーションによって利用する。
【００３９】
なお、本実施の形態１においては、送信制御部４０がアクセスポイント２Ａからのデータフレームの送達を確認した場合について説明したが、データフレームの送達確認ができずにタイマが満了した場合（タイマによる時間設定を経過した場合）は、データ通信に失敗した実績情報を追加するよう通信条件記録部１５Ａに依頼する。例えば、移動端末１Ａがアクセスポイント２Ａとの接続に失敗し、移動端末１Ａのカバー領域４Ａ内の位置が「３−４」、通信条件３３が５４Ｍｂｐｓであった場合、通信条件記録部１５Ａは統計情報３４を「８／１０」から「８／１１」に更新する。
【００４０】
ここで、通信条件記録部１５Ａ、通信条件決定部１０の通信条件の決定処理の詳細について説明する。図６は、実施の形態１に係る通信条件の決定処理手順を示すフローチャートである。ここでは、通信条件の一例として通信条件が送信レートである場合について説明する。
【００４１】
通信条件記録部１５Ａは、ＡＰ識別子３１と端末位置情報３２をキーとして通信条件統計情報テーブル３０内の通信条件３３と統計情報３４を検索する。通信条件記録部１５Ａは、通信条件統計情報テーブル３０内においてＡＰ識別子３１と端末位置情報３２に対応する通信条件３３、統計情報３４が存在するか否か（ヒット件数が０であるか１以上であるか）を判断する（ステップＳ１００）。
【００４２】
通信条件記録部１５Ａが、ＡＰ識別子３１、端末位置情報３２に対応する通信条件３３、統計情報３４が１つ以上あると判断すると（ステップＳ１００、ヒット件数１以上）、通信条件記録部１５Ａはこの検索した通信条件３３と統計情報３４を通信条件統計読出応答として通信条件決定部１０に送信する。通信条件決定部１０は、通信条件記録部１５Ａの検索においてヒットした統計情報３４の中から最も良い通信の条件を選択する（ステップＳ１１０）。
【００４３】
通信条件決定部１０は、例えば最良の通信条件の実績数（通信回数）が所定回数以上でかつ送信成功率が所定値以上の場合（ステップＳ１１０、実績十分）、実績十分のため更に良い条件での通信に成功する可能性があると判断し、選択した通信条件よりも一段階（所定値）高い（速い）送信レートを通信条件として選択する（ステップＳ１１５）。
【００４４】
また、通信条件決定部１０は、例えば最良の最高通信条件の実績数が不十分（実績数が所定回数以下）である場合、予め定めておいた所定の「優先する条件」を適用する（ステップＳ１２０）。
【００４５】
具体的には、通信条件決定部１０が最良の通信条件を優先適用する場合（ステップＳ１２０、最良の通信条件）、通信条件決定部１０は送信成功実績のある通信条件の中から最良（最速）の送信レートを選択する（ステップＳ１３０）。
【００４６】
また、通信条件決定部１０が成功率の高い通信条件を優先適用する場合（ステップＳ１２０、高成功率の通信条件）、通信条件決定部１０は成功実績のある通信条件の中から送信成功率の最も高い送信レートを選択する（ステップＳ１４０）。
【００４７】
一方、通信条件記録部１５Ａが、ＡＰ識別子３１、端末位置情報３２に対応する通信条件３３、統計情報３４がないと判断すると（ステップＳ１００、ヒット件数０）、通信条件記録部１５Ａはこの検索結果を通信条件統計読出応答として通信条件決定部１０に送信する。通信条件決定部１０は、予め定めておいた送信レートの初期値を選択する（ステップＳ１５０）。
【００４８】
このように、本実施の形態１においては、過去の通信条件に関する通信実績（通信条件統計情報テーブル３０）を利用して通信条件を決定し、またその通信結果を通信条件統計情報テーブル３０に加えている。またサービス領域（カバー領域４Ａ）を細分化して通信条件を決定したり記録したりする単位と定め、移動端末１Ａの位置情報からどの細分区域に関する判定かを求めている。
【００４９】
これにより、移動しながら通信を行う移動端末１Ａの位置が変化し、刻々と伝播状況が変化する場合であっても、適切な通信条件で通信を行うことが可能となる。したがって、データフレームの伝送に失敗することが減少し、データフレームの再送を行う必要が減少する。これにより、無線資源を占有する機会が減少し、移動通信システム内の負荷を減少させることが可能となる。
【００５０】
このように実施の形態１によれば、移動端末１Ａが通信を行う際に、ＡＰ識別子３１および移動端末１Ａの端末位置情報３２を収集して、通信条件３３、通信結果（統計情報３４）とともに記憶しているので、移動端末１Ａは記憶している過去の通信条件（通信履歴）を検索して、現時点における適切な通信条件を決定することが可能となる。また、移動端末１Ａはカバー領域４Ａを細分化したエリアの端末位置情報３２を記憶しているので、細分化された細かなエリアでの位置情報に基づいた適切な通信条件を決定することが可能となる。したがって、移動通信システム内の通信の占有帯域や占有時間等の無線資源の占有量を小さくすることが可能となり、効率のよい移動通信を行うことが可能となる。
【００５１】
実施の形態２．
実施の形態２においては、複数の移動端末の通信条件統計情報を複数の移動端末で相互に利用する。本実施の形態２においては移動通信システム内に複数の移動端末から収集した通信条件統計情報を管理する管理装置（後述する集計装置５）が配置されている。
【００５２】
図７は、本発明に係る移動通信システムの実施の形態２の構成の一例を示す図であり、図８は、本発明に係る移動端末の実施の形態２の構成を示すブロック図である。図７および図８の各構成要素のうち図１および図２に示す実施の形態１の移動通信システムや移動端末１Ａと同一機能を達成する構成要素については同一番号を付しており、重複する説明は省略する。
【００５３】
図７に示すように本実施の形態２に係る移動通信システムは、自動車等に搭載された移動端末１Ｂ，１Ｃ、アクセスポイント２Ｂ，２Ｃ、アクセスポイント２Ｂ，２Ｃと他の通信サービスとを接続するアクセスネットワーク３、アクセスネットワーク３に接続された集計装置５からなる。移動端末１Ｂはアクセスポイント２Ｂとの双方向の無線通信が可能なカバー領域４Ｂ内で無線通信サービスの提供を受け、移動端末１Ｃはアクセスポイント２Ｃとの双方向の無線通信が可能なカバー領域４Ｃ内で無線通信サービスの提供を受ける。
【００５４】
つぎに、移動端末１Ｂ，１Ｃの構成について説明する。なお、移動端末１Ｂ，１Ｃは同様の構成を有するので、ここでは移動端末１Ｂを例にとって説明する。図８に示すように本実施の形態２に係る移動端末１Ｂは、通信条件決定部１０、位置検出部２０、通信条件記録部１５Ａ、送信制御部４０、送信部５０、アンテナ５１、受信部５２、送信データフレーム生成部５３、送信データ用アプリケーション格納部５４、データフレーム解析部５５、受信データ用アプリケーション格納部５６に加えて、通信条件報告要求処理部８０、通信条件報告生成部８１、通信条件読出要求生成部８２、通信条件通知処理部８３、タイマ７０Ａを有している。
【００５５】
通信条件報告要求処理部８０は、集計装置５に通信条件統計情報を報告（通知）するよう、通信条件報告生成部８１に指示情報を送信する。通信条件報告生成部８１は、通信条件記録部１５Ａから通信条件統計情報を読み出す。通信条件読出要求生成部８２は、集計装置５に対する通信条件統計情報の要求情報を作成する。通信条件通知処理部８３は、通信条件記録部１５Ａに通信条件統計情報を格納させる。タイマ７０Ａは、予め設定しておいた所定の時間間隔を計測する。タイマ７０Ａは、所定の時間間隔毎に所定の時間が経過したことを通信条件報告生成部８１、通信条件読出要求生成部８２に通知する。なお、本実施の形態２においては、通信条件報告生成部８１が特許請求の範囲に記載の履歴情報提供手段に対応する。
【００５６】
図９は、実施の形態２に係る集計装置５の構成を示すブロック図である。集計装置（情報記憶装置）５は、移動端末１Ｂ，１Ｃから統計情報３４等を収集して記憶するとともに、移動端末１Ｂ，１Ｃからの要求に応じて統計情報３４等を提供する。
【００５７】
集計装置５は、通信条件記録部１５Ｘ、タイマ７０Ｘ、通信条件報告要求生成部７１、送信部７２、受信部７３、通信条件報告処理部７４、通信条件読出要求処理部７５、通信条件通知生成部７６からなる。
【００５８】
通信条件記録部１５Ｘは、通信条件統計情報テーブル３０を記憶する。通信条件記録部１５Ｘは、移動端末１Ｂ，１Ｃから送信される通信履歴情報を受信する度に、通信条件統計情報テーブル３０を更新する。
【００５９】
タイマ７０Ｘは、予め設定しておいた所定の時間間隔を計測する。タイマ７０Ｘは、所定の時間間隔毎に所定の時間が経過したことを通信条件報告要求生成部７１、通信条件通知生成部７６に通知する。
【００６０】
通信条件報告要求生成部７１は、移動端末１Ｂに対する通信条件統計情報の要求情報（通信条件報告要求）を作成し、作成した通信条件報告要求を移動端末１Ｂに送信するよう送信部７２に指示する。
【００６１】
送信部７２は、通信条件報告要求生成部７１からのフレーム送信依頼に基づいて、移動端末１Ｂにデータフレームを送信する。送信部７２は、通信条件通知生成部７６が生成したデータフレームを移動端末１Ｂに送信する。
【００６２】
受信部７３は、移動端末１Ｂ，１Ｃからデータフレームを受信し、受信したデータフレームを通信条件報告処理部７４、通信条件読出要求処理部７５に転送する。通信条件報告処理部７４は、通信条件記録部１５Ｘに通信条件統計情報を記憶させる。
【００６３】
通信条件読出要求処理部７５は、移動端末１Ｂに通信条件統計情報を通知するよう、通信条件通知生成部７６に指示情報を送信する。通信条件通知生成部７６は、通信条件記録部１５Ｘから通信条件統計情報を読み出し、通信条件統計情報テーブル３０を含む通信条件通知フレームを生成する。
【００６４】
つぎに、実施の形態２に係る移動通信システムの動作手順を説明する。集計装置５は、移動端末１Ｂ，１Ｃから定期的に通信条件統計情報を収集（集計装置５が移動端末１Ｂ，１Ｃに通信条件統計情報の要求を行う）すること又は移動端末１Ｂ，１Ｃが定期的に送信する通信条件統計情報を受信することによって通信条件統計情報を取得し通信条件統計情報テーブル３０を生成する。また、移動端末１Ｂ，１Ｃは集計装置５から定期的に通信条件統計情報を収集（移動端末１Ｂ，１Ｃ集計装置５が集計装置５に通信条件統計情報の要求を行う）すること又は集計装置５が定期的に送信する通信条件統計情報を受信することによって通信条件統計情報を取得する。
【００６５】
ここでは、集計装置５が移動端末１Ｂから通信条件統計情報を取得し、移動端末１Ｂが集計装置５から通信条件統計情報を取得する場合について説明する。また、アクセスポイント２Ｂは集計装置５と移動端末１Ｂとの間で送受信されるデータフレームの転送を行うが、通信条件の記録には関わらないのでその説明を省略する。
【００６６】
まず、集計装置５が移動端末１Ｂから定期的に通信条件統計情報を収集する場合の処理手順について説明する。図１０は、集計装置が移動端末から定期的に通信条件統計情報を収集する場合の処理手順を示すフローチャートである。
【００６７】
集計装置５の通信条件報告要求生成部７１は、タイマ７０Ｘからの定期的な契機を受けて、移動端末１Ｂに対する通信条件統計情報の要求情報（通信条件報告要求）を作成する（２１）。通信条件報告要求生成部７１は、生成した通信条件報告要求を移動端末１Ｂに送信するよう送信部７２に指示情報（フレーム送信依頼）を送信する（２２）。送信部７２は、通信条件報告要求生成部７１からのフレーム送信依頼に基づいて、移動端末１Ｂに通信条件報告要求（通信条件報告要求フレーム）を送信する（２３）。
【００６８】
移動端末１Ｂは、受信部５２によって通信条件報告要求フレームを受信すると、受信したデータフレームの種別を判定する。ここでの受信部５２は、通信条件報告要求フレームを受信したと判断する。受信部５２は、通信条件報告要求フレームに基づいた処理を行うよう通信条件報告要求フレームを通信条件報告要求処理部８０に転送（通信条件報告要求フレーム処理依頼を送信）する（２４）。
【００６９】
通信条件報告要求処理部８０は、通信条件報告要求フレームを受信すると、通信条件報告要求フレームに基づいて集計装置５に通信条件統計情報を報告（通知）するよう、通信条件報告生成部８１に指示情報（通信条件報告依頼）を送信する（２５）。
【００７０】
通信条件報告生成部８１は、通信条件記録部１５Ａから通信条件統計情報を読み出す。すなわち、通信条件報告生成部８１が通信条件記録部１５Ａに通信条件統計情報を要求する指示情報（通信条件統計読出要求）を送信し（２６）、通信条件記録部１５Ａから通信条件統計情報を含む情報（通信条件統計読出応答）を受信する（２７）。ここでの通信条件統計情報には、カバー領域４Ｂを細分化したエリアの端末位置情報３２が含まれている。
【００７１】
通信条件報告生成部８１は、通信条件統計情報テーブル３０を含む通信条件報告フレームを生成し、生成した通信条件報告フレームを送信するよう送信部５０に指示情報（フレーム送信依頼）を送信する（２８）。送信部５０は、通信条件報告生成部８１が生成した通信条件報告フレームをアンテナ５１を介して集計装置５に送信する（２９）。
【００７２】
集計装置５の受信部７３は、移動端末１Ｂからの通信条件報告フレームを受信する。集計装置５は、受信部７３によって通信条件報告フレームを受信すると、受信したデータフレームの種別を判定する。ここでの受信部７３は、通信条件報告フレームを受信したと判断する。受信部７３は、通信条件報告フレームに基づいた処理を行わせるため通信条件報告フレームを通信条件報告処理部７４に転送（通信条件報告フレーム処理依頼）する（３０）。
【００７３】
通信条件報告処理部７４は、通信条件報告フレームを受信すると、通信条件報告フレームに含まれる通信条件統計情報を格納（記憶）するよう通信条件記録部１５Ｘに指示情報（通信条件統計追加依頼）を送信する（３１）。通信条件記録部１５Ｘは、通信条件報告処理部７４の通信条件報告フレームに含まれる通信条件統計情報を追加して記録（通信条件追加）する。集計装置５は、（２１）〜（３１）の処理手順によって複数の移動端末から通信条件統計情報を取得して記憶する。
【００７４】
これにより、集計装置５のタイマ７０Ｘに予め設定しておいたタイミングで集計装置５が移動端末１Ｂ，１Ｃから通信条件統計情報を収集することが可能となる。したがって、集計装置５の品質に応じた集計装置５に都合の良いタイミングで集計装置５が移動端末１Ｂ，１Ｃから通信条件統計情報を取得することが可能となる。
【００７５】
つぎに、移動端末１Ｂが定期的に送信する通信条件統計情報を集計装置５が受信する場合の処理手順について説明する。図１１は、移動端末が定期的に送信する通信条件統計情報を集計装置が受信する場合の処理手順を示すフローチャートである。
【００７６】
移動端末１Ｂの通信条件報告生成部８１は、タイマ７０Ａからの定期的な契機を受けると（４１）、通信条件記録部１５Ａから通信条件統計情報を読み出す。すなわち、通信条件報告生成部８１が通信条件記録部１５Ａに通信条件統計情報を要求する指示情報（通信条件統計読出要求）を送信し（４２）、通信条件記録部１５Ａから通信条件統計情報を含む情報（通信条件統計読出応答）を受信する（４３）。
【００７７】
この後、図１０に示したフローチャートと同様の処理手順によって移動端末１Ｂから集計装置５に通信条件統計情報が送信されて通信条件統計情報の更新が行われるためその説明は省略する。なお、図１１に示す（４４）〜（４７）の処理が図１０に示した（２８）〜（３１）の処理に対応する。
【００７８】
これにより、移動端末１Ｂ，１Ｃのタイマ７０Ａに予め設定しておいたタイミングで集計装置５が移動端末１Ｂ，１Ｃから通信条件統計情報を収集することが可能となる。したがって、移動端末１Ｂ，１Ｃの品質に応じた移動端末１Ｂ，１Ｃに都合の良いタイミングで集計装置５が通信条件統計情報を取得することが可能となる。
【００７９】
つぎに、移動端末１Ｂが集計装置５から定期的に通信条件統計情報を収集する場合の処理手順について説明する。図１２は、移動端末が集計装置から定期的に通信条件統計情報を収集する場合の処理手順を示すフローチャートである。
【００８０】
移動端末１Ｂの通信条件読出要求生成部８２は、タイマ７０Ａからの定期的な契機を受けると（５０）、集計装置５に対する通信条件統計情報の要求情報（通信条件読出要求）を作成する。通信条件読出要求生成部８２は、生成した通信条件読出要求を集計装置５に送信するよう送信部５０に指示情報（フレーム送信依頼）を送信する（５１）。送信部５０は、通信条件読出要求生成部８２からのフレーム送信依頼に基づいて、集計装置５に通信条件要求（通信条件読出要求フレーム）を送信する（５２）。
【００８１】
集計装置５は、受信部７３によって通信条件読出要求フレームを受信すると、受信したデータフレームの種別を判定する。ここでの受信部７３は、通信条件読出要求フレームを受信したと判断する。受信部７３は、通信条件読出要求フレームに基づいた処理を行うよう通信条件読出要求フレームを通信条件読出要求処理部７５に転送（通信条件読出要求フレーム処理依頼を送信）する（５３）。
【００８２】
通信条件読出要求処理部７５は、通信条件読出要求フレームを受信すると、通信条件読出要求フレームに基づいて移動端末１Ｂに通信条件統計情報を通知するよう、通信条件通知生成部７６に指示情報（通信条件通知依頼）を送信する（５４）。
【００８３】
通信条件通知生成部７６は、通信条件記録部１５Ｘから通信条件統計情報を読み出す。すなわち、通信条件通知生成部７６が通信条件記録部１５Ｘに通信条件統計情報を要求する指示情報（通信条件集計読出要求）を送信し（５５）、通信条件記録部１５Ａから通信条件統計情報を含む情報（通信条件集計読出応答）を受信する（５６）。ここでの通信条件統計情報には、カバー領域４Ｂを細分化したエリアの端末位置情報３２が含まれている。
【００８４】
通信条件通知生成部７６は、通信条件統計情報テーブル３０を含む通信条件通知フレームを生成し、生成した通信条件通知フレームを送信するよう送信部７２に指示情報（フレーム送信依頼）を送信する（５７）。送信部７２は、通信条件通知生成部７６が生成した通信条件通知フレームを移動端末１Ｂに送信する（５８）。
【００８５】
移動端末１Ｂの受信部５２は、集計装置５からの通信条件通知フレームを受信する。移動端末１Ｂは、受信部５２によって通信条件通知フレームを受信すると、受信したデータフレームの種別を判定する。ここでの受信部５２は、通信条件通知フレームを受信したと判断する。受信部５２は、通信条件通知フレームに基づいた処理を行わせるため通信条件通知フレームを通信条件通知処理部８３に転送（通信条件通知フレーム処理依頼）する（５９）。
【００８６】
通信条件通知処理部８３は、通信条件通知フレームを受信すると、通信条件通知フレームに含まれる通信条件統計情報を格納するよう通信条件記録部１５Ａに指示情報（通信条件統計追加依頼）を送信する（６０）。通信条件記録部１５Ａは、通信条件通知処理部８３の通信条件通知フレームに含まれる通信条件統計情報を追加して記録（通信条件追加）する。
【００８７】
各移動端末は、（５０）〜（６０）の処理手順によって集計装置５から通信条件統計情報を取得して記憶する。そして、記憶している通信条件統計情報に基づく所定の通信条件によって各移動端末は通信を行う。
【００８８】
これにより、移動端末１Ｂ，１Ｃのタイマ７０Ａに予め設定しておいたタイミングで移動端末１Ｂ，１Ｃが集計装置５から通信条件統計情報を収集することが可能となる。したがって、移動端末１Ｂ，１Ｃの品質に応じた移動端末１Ｂ，１Ｃに都合の良いタイミングで移動端末１Ｂ，１Ｃが集計装置５から通信条件統計情報を取得することが可能となる。
【００８９】
つぎに、集計装置５が定期的に送信する通信条件統計情報を移動端末１Ｂが受信する場合の処理手順について説明する。図１３は、集計装置が定期的に送信する通信条件統計情報を移動端末が受信する場合の処理手順を示すフローチャートである。
【００９０】
集計装置５の通信条件通知生成部７６は、タイマ７０Ｘからの定期的な契機を受けると（７０）、通信条件記録部１５Ｘから通信条件統計情報を読み出す。すなわち、通信条件通知生成部７６が通信条件記録部１５Ｘに通信条件統計情報を要求する指示情報（通信条件集計読出要求）を送信し（７１）、通信条件記録部１５Ｘから通信条件統計情報を含む情報（通信条件集計読出応答）を受信する（７２）。
【００９１】
この後、図１２に示したフローチャートと同様の処理手順によって集計装置５から移動端末１Ｂに通信条件統計情報が送信されて通信条件統計情報の更新が行われるためその説明は省略する。なお、図１３に示す（７３）〜（７６）の処理が図１２に示した（５７）〜（６０）の処理に対応する。
【００９２】
これにより、集計装置５のタイマ７０Ｘに予め設定しておいたタイミングで移動端末１Ｂ，１Ｃが集計装置５から通信条件統計情報を収集することが可能となる。したがって、集計装置５の品質に応じた集計装置５に都合の良いタイミングで移動端末１Ｂ，１Ｃが集計装置５から通信条件統計情報を取得することが可能となる。
【００９３】
このように、本実施の形態２においては、複数の移動端末の通信条件に関する統計情報（通信条件統計情報）を集計装置５に集めるようにし、またそれぞれの移動端末が他の移動端末の情報を含めた集計の結果（通信条件統計情報）を取得している。
【００９４】
なお、本実施の形態２においては、移動通信システムが２つの移動端末１Ｂ，１Ｃ、２つのアクセスポイント２Ｂ，２Ｃを備える構成としたが、移動通信システムが３つ以上の移動端末、１つまたは３つ以上のアクセスポイントを備える構成としてもよい。
【００９５】
このように実施の形態２によれば、実施の形態１で説明した通信条件統計情報を複数の移動端末１Ｂ，１Ｃで相互に利用することができるため、アクセスポイント２Ｂ，２Ｃとの接続実績が少ない移動端末１Ｂ，１Ｃであっても、他の移動端末１Ｂ，１Ｃにおける通信条件統計情報を利用して細分化された細かなエリアでの位置情報に基づいた適切な通信条件を決定することが可能となる。
【００９６】
なお、本実施の形態２においては、定期的な契機を与えるタイマ７０Ａ，７０Ｘを利用して通信条件統計情報の収集やその利用をすることとしたが、これに限らずアクセスポイント２Ｂ，２Ｃのカバー領域４Ｂ，４Ｃ端に移動端末１Ｂ，１Ｃが到達したことを契機として通信条件統計情報の収集やその利用を行うこととしてもよい。
【００９７】
例えば、移動端末１Ｂ，１Ｃがカバー領域４Ｂ，４Ｃに差し掛かったとき（カバー領域４Ｂ，４Ｃの境界を通過して領域内に入る際）に、移動端末１Ｂ，１Ｃがこれからアクセスサービスの提供を受けるアクセスポイントに関する通信条件統計情報を集計装置５から取得する。また、移動端末１Ｂ，１Ｃがアクセスサービスの提供を完了して移動端末１Ｂ，１Ｃがカバー領域４Ｂ，４Ｃから去っていくとき（カバー領域４Ｂ，４Ｃの境界を通過して領域外に出て行く際）に、通信条件統計情報の履歴をまとめて集計装置５に報告する。これにより、移動端末１Ｂ，１Ｃから集計装置５への通信条件統計情報の報告や、集計装置５から移動端末１Ｂ，１Ｃへの通信条件統計情報の通知のための通信フレーム数を削減することが可能となり、ユーザデータの通信に対して少ない負荷で適切な通信条件を決定することが可能となる。
【産業上の利用可能性】
【００９８】
以上のように、本発明にかかる移動通信システムおよび移動端末は、詳細な位置情報に基づいて通信条件を選択して通信する移動通信に適している。
【図面の簡単な説明】
【００９９】
【図１】本発明に係る移動通信システムの実施の形態１の構成の一例を示す図である。
【図２】本発明に係る移動端末の実施の形態１の構成を示すブロック図である。
【図３】実施の形態１に係る移動端末の通信動作の処理手順を示すフローチャートである。
【図４】通信条件統計情報テーブルの構成の一例を示す図である。
【図５−１】メッシュ状に細分化したカバー領域の構成を示す図である。
【図５−２】同心円状に細分化したカバー領域の構成を示す図である。
【図６】実施の形態１に係る通信条件の決定処理手順を示すフローチャートである。
【図７】本発明に係る移動通信システムの実施の形態２の構成の一例を示す図である。
【図８】本発明に係る移動端末の実施の形態２の構成を示すブロック図である。
【図９】実施の形態２に係る集計装置５の構成を示すブロック図である。
【図１０】集計装置が移動端末から定期的に通信条件統計情報を収集する場合の処理手順を示すフローチャートである。
【図１１】移動端末が定期的に送信する通信条件統計情報を集計装置が受信する場合の処理手順を示すフローチャートである。
【図１２】移動端末が集計装置から定期的に通信条件統計情報を収集する場合の処理手順を示すフローチャートである。
【図１３】集計装置が定期的に送信する通信条件統計情報を移動端末が受信する場合の処理手順を示すフローチャートである。
【符号の説明】
【０１００】
１Ａ〜１Ｃ  移動端末
２Ａ〜２Ｃ  アクセスポイント
３  アクセスネットワーク
４Ａ〜４Ｃ  カバー領域
５  集計装置
１０  通信条件決定部
１５Ａ，１５Ｘ  通信条件記録部
２０  位置検出部
３０  通信条件統計情報テーブル
３１  ＡＰ識別子
３２  端末位置情報
３３  通信条件
３４  統計情報
４０  送信制御部
５０，７２  送信部
５１  アンテナ
５２，７３  受信部
５３  送信データフレーム生成部
５４  送信データ用アプリケーション格納部
５５  データフレーム解析部
５６  受信データ用アプリケーション格納部
７１  通信条件報告要求生成部
７４  通信条件報告処理部
７５  通信条件読出要求処理部
７６  通信条件通知生成部
８０  通信条件報告要求処理部
８１  通信条件報告生成部
８２  通信条件読出要求生成部
８３  通信条件通知処理部
【図１】
2006186820.tif 000003
【図２】
2006186820.tif 000004
【図３】
2006186820.tif 000005
【図４】
2006186820.tif 000006
【図５−１】
2006186820.tif 000007
【図５−２】
2006186820.tif 000008
【図６】
2006186820.tif 000009
【図７】
2006186820.tif 000010
【図８】
2006186820.tif 000011
【図９】
2006186820.tif 000012
【図１０】
2006186820.tif 000013
【図１１】
2006186820.tif 000014
【図１２】
2006186820.tif 000015
【図１３】
2006186820.tif 000016